(57)【要約】【課題】  トリガー式液体噴出器のトリガーないしトリガーカバーへ、触覚により判別し易い凹凸の表示部を付設することで、目が不自由な人でも噴出液体の種類、噴出形態等を容易に理解出来るよう設けた。【解決手段】  トリガー４ないしトリガーカバー９の外面へ、点字11ないしマーク12等の表示部21を付形した。【選択図】  図１
2005046726.tif 000002
【特許請求の範囲】
【請求項１】
トリガー式液体噴出器のトリガー４ないし該トリガーを覆うトリガーカバー９の外面へ、該噴出器から噴出される液体の種類ないし液体噴出形態の表示部21を付形した
ことを特徴とするトリガー式液体噴出器。
【請求項２】
上記表示部21を、立体的な凹凸で形成した
ことを特徴とする、請求項１記載のトリガー式液体噴出器。
【請求項３】
上記表示部21を、マーク12で形成した
ことを特徴とする請求項１又は２記載のトリガー式液体噴出器。
【請求項４】
上記表示部21を、点字11で形成した
ことを特徴とする請求項２記載のトリガー式液体噴出器。
【発明の詳細な説明】
【技術分野】
【０００１】
本発明はトリガー式液体噴出器に関する。
【背景技術】
【０００２】
トリガー式液体噴出器は、周知のようにトリガー引寄せによって射出筒前端へ嵌合させたノズルキャップから液体噴出するよう設けられており、射出筒に対するノズルキャップ回動によって液体噴出路が閉塞されてトリガー引寄せが不能になったり、液体噴出路が開通されて霧が、又直射状に水が、更に泡が噴出できるよう設けられている。
【０００３】
又液体噴出路閉塞状態でのトリガー引寄せ操作を防止するために、ノズルキャップからトリガー前面を覆うトリガーカバーを垂下させ、該カバーがトリガー前面を覆う位置ではトリガー操作が不能とし、そのカバーを介してノズルキャップを回動させることで、液体噴出させるようにしたものもある（特許文献１）。
【特許文献１】特開平１０−１４６５５０号公報
【発明の開示】
【発明が解決しようとする課題】
【０００４】
上記のようなトリガー式液体噴出器は、洗剤用、又殺虫剤用等広く各種液体噴出用として使用されており、又その液体噴出形態も、霧、直射、泡等種々の場合があるため、例えば盲人、弱視者、老人等にとっては、その液体の種類、又液体噴出形態等が容器等に記されてあっても、これ等文字、絵等は健常者を対象としているためにそれ等が記されている場所が解り難く、又記されている表示も理解することが困難であった。
【０００５】
トリガー式液体噴出器は、トリガーないしトリガーカバーに触れない限り液体噴出操作は不可能であり、よってこれ等トリガー等に上記表示を行えば、その表示場所を理解し易く、又その表示の理解も容易となる。
【０００６】
本発明はトリガーないしトリガーカバーへ上記表示を行うことで、非健常者にとっても理解し易い表示となるよう設けたものである。
【課題を解決するための手段】
【０００７】
第１の手段としてトリガー式液体噴出器のトリガー４ないし該トリガーを覆うトリガーカバー９の外面へ、該噴出器から噴出される液体の種類ないし液体噴出形態の表示部21を付形した。
【０００８】
第２の手段として、上記第１の手段を有すると共に上記表示部21を、立体的な凹凸で形成した。
【０００９】
第３の手段として、上記第１又は第２の手段を有すると共に上記表示部21を、マーク12で形成した。
【００１０】
第４の手段として、上記第２の手段を有すると共に上記表示部21を、点字11で形成した。
【発明の効果】
【００１１】
請求項１記載の構成としたことで、表示部21の場所を、トリガー式液体噴出器使用上、必ず触れる部分へ限定することとなり、よってその場所を理解し易い。
【００１２】
請求項２のようにすることで、触覚でその表示内容を理解することが出来る。
【００１３】
請求項３のようにすることで、予め使用者にマークの意味を理解させておくことで、表示内容を簡潔なマークだけで知らせることが出来る。
【００１４】
請求項４のようにすることで、点字使用者にとってその表示内容を理解することが容易である。
【発明を実施するための最良の形態】
【００１５】
まず公知の部分について簡単に説明すると、１は容器体、２はトリガー式液体噴出器、３はノズルキャップ、４はトリガー、５はシリンダ、６はプランジャで、トリガー後方引寄せでプランジャ６が後退してシリンダ３内が高圧化することで、該シリンダ内液体が高圧化し、射出筒を通ってノズルキャップのノズル孔3aから噴出し、トリガーを離すとプランジャが前方付勢により前進してトリガーが復帰し、又シリンダ内負圧化で容器体内液体がシリンダ内へ吸込みされる。
【００１６】
上記ノズルキャップ３は、ほぼ三角筒形状に形成されており、その各面には止。直射。霧の文字が記されており、噴出器カバー７の上面前部に付された三角形状目印８前方へ「  止」の面を位置させるとノズル孔3aへの液体噴出路が閉じてトリガー操作は不能となり、「直射」の面を位置させてトリガー操作すると直射状につまり水鉄砲状に水が噴出し、「霧」の面を位置させてトリガーを引くと噴出液体が高速回転し乍ら噴出することで霧となって噴出する。
【００１７】
本発明にはあっては、上記トリガー４の前面へ、洗剤、カビ取り等容器体内収納液体の種類を示す語を点字11で示す表示部21を設けた。該表示部により表示する事項としては霧、泡等の液体噴出形態も考えられ、又このような液体噴出形態は立体的な凹凸による図形マーク化して該マーク12を付設してもよい。例えば図３が示すようにノズルキャップを示す四角形の前面中心から複数の点線を上下前方へ突出させた霧マーク12a 、図４が示すように上記四角形前面中心から多数の小円集合体としての三角形を突出させた泡マーク12b 、又図５が示すように上記四角形の前面中心から矢示直線を前方へ突出させた直射水マーク12c 等が考えられる。
【００１８】
尚このようなマークはノズルキャップ３の各該当面へも付形することが望ましい。
【００１９】
図示例ではトリガー前面へ表示部21を付形したが、トリガー側面へ付形させてもよい。      
【００２０】
図２は第２実施形態を示す。尚第１実施形態と同一部分については同一符号を付することで説明を省略する。
【００２１】
該実施形態は、既述特許文献１の場合のように、トリガー４前面をノズルキャップ３から突設したトリガーカバー９で覆った例を示す。尚特許文献１の場合はそのトリガーカバー前面から該トリガーカバー引寄せ防止用の突部を突出しているが、本発明の場合はその突部を設けず、そのカバーをノズルキャップ回動用の把手として使用している。該トリガーカバーは図示状態でトリガー４の右側面へ係合する右側板を有し、前方からみて時計回り方向へノズルキャップの軸線を中心に回動させることで、直射水面、又霧面を三角形状目印８前方へ位置させることが出来、反時計回り方向への回動で、図示のように止面が上方へ位置したとき、上記トリガーカバーの右側板がトリガー右側面に接して停止する。  該図２のようにトリガーカバー９を付設した場合は、そのカバーへ、収納液体の種類、又液体噴出態様表示用の点字11等、その他の表示部を施す。この表示部も立体的な凹凸で表示すればよい。該トリガーカバー９は、公知のトリガーロック装置の一部で形成してもよい。その他表示部21上半をトリガーロック装置の一部に、又下半をトリガー下半に、それぞれ設けることも考えられる。
【図面の簡単な説明】
【００２２】
【図１】本発明液体噴出器の斜視図である。
【図２】異る実施形態で示す斜視図である。
【図３】トリガー等に付設する表示部の正面図である。
【図４】異る表示部の正面図である。
【図５】更に異る表示部の正面図である。
【符号の説明】
【００２３】
２    液体噴出器
３    ノズルキャップ
４    トリガー
９    トリガーカバー
11    点字
12    マーク
21    表示部
【図１】
2005046726.tif 000003
【図２】
2005046726.tif 000004
【図３】
2005046726.tif 000005
【図４】
2005046726.tif 000006
【図５】
2005046726.tif 000007